(57)【要約】【課題】片側の居室を暖冷房した時など、両側の温度湿度が別々に変化して、両側の表面板間に伸縮の差が生じても反りを発生することがなく、良好な建付けを維持できる建具を提供する。【解決手段】建具枠、及びこの建具枠の両側に取り付けられた表面板を含み構成される建具であって、前記建具枠は、押さえ片を有するとともに両側に配された一対の竪枠と、この竪枠の上端部間に架け渡された上枠と、竪枠の下端部間に架け渡された下枠とを有して矩形状に構成され、前記表面板は、両側縁部が、前記竪枠及び押さえ片の間で上下スライド可能に挟着されるとともに、係合手段によって建具枠からのスベリ落ちが防止されることを特徴とする。【選択図】図１
2007191931.tif 000002
【特許請求の範囲】
【請求項１】
建具枠、及びこの建具枠の両側に取り付けられた表面板を含み構成される建具であって、
前記建具枠は、押さえ片を有するとともに両側に配された一対の竪枠と、この竪枠の上端部間に架け渡された上枠と、竪枠の下端部間に架け渡された下枠とを有して矩形状に構成され、
前記表面板は、両側縁部が、前記竪枠及び押さえ片の間で上下スライド可能に挟着されるとともに、係合手段によって建具枠からのスベリ落ちが防止されることを特徴とする建具。
【請求項２】
前記押さえ片は、竪枠の表面に向き合って上下にのびる長尺板状をなすとともに、その外端部から直角に折れ曲がる固定片が一体に形成されることにより、断面Ｌ字状の取付け枠材を構成し、
取付け枠材の固定片を竪枠の外側面に固着することにより、押さえ片が取り付けられることを特徴とする請求項１記載の建具。
【請求項３】
前記押さえ片は、その内端部に表面板へ向けて小長さで折れ曲がる鍵片を有し、
前記表面板は、鍵片の先端部と竪枠とで挟着されることを特徴とする請求項１又は２記載の建具。
【請求項４】
前記取付け枠材は、その下端で押さえ片及び固定片の内側に、水平な受止め片が形成され、
前記受止め片は、前記表面板の下端部を支持して、前記係合手段を形成することを特徴とする請求項２又は３記載の建具。
【請求項５】
前記係合手段は、前記下枠に沿って設けられ前記表面板の下端部を支持しうる下受枠材により形成されることを特徴とする請求項１〜３のいずれかに記載の建具。
【請求項６】
前記表面板は、その両側端部と固定片との間に嵌入された左右の弾性体により挟持され、
この弾性体により前記係合手段が形成されることを特徴とする請求項２に記載の建具。    
【請求項７】
前記建具枠は、上、下枠間に隔設されて竪枠間に架け渡される水平な補強中桟を有するとともに、この補強中桟は、少なくともその一が接着層を介して表面板の裏面に接着され、
この接着層により前記係合手段が形成されることを特徴とする請求項１〜３のいずれかに記載の建具。
【発明の詳細な説明】
【技術分野】
【０００１】
本発明は、間仕切り壁に配置される出入り口などの開口部に取り付けられ、その両側空間の温度、湿度などに差が生じても反りの発生が抑制されて、良好な建付けを維持できる建具に関する。
【背景技術】
【０００２】
間仕切り開口に用いられる屋内用の建具は、例えば冬季に暖房される居室側と、反対側の廊下との間で大きな温度差を生じる。更には暖房される居室側の空気が乾燥して、両側の湿度にも著しい差が生まれる。なお夏季の冷房時にも同じように、建具の両側において温度、及び湿度に大きな差が生じる。
【０００３】
他方、縦フレーム材、横フレーム材を矩形状に枠組みした外周枠の内側に補強桟を架け渡し形成された木製のパネルフレームの両側に、化粧板を貼着したフラッシュ構造の建具は、軽量かつ低廉に製造できる上、材料、加工技術の発展に伴い意匠性も格段に向上したことから広く使用されている。しかしこのようなフラッシュ構造の建具においては、前記のように両側で温度湿度の差が生じる際、両側の化粧板が異なった伸縮を生じるため所謂バイメタルの作用により、反りが発生し易いという問題があった。
【０００４】
そこで本出願人は、プラスチックフィルム（ポリエチレンなど）の両面に紙を積層して形成した防湿シートを前記化粧板に貼着することにより、両側の空間に温度差がある場合でも、双方の化粧板の間で含水率の差が生じること抑制し、その結果反りを防止しうる建具を提案している（例えば、特許文献１参照）。
【０００５】
【特許文献１】特開平９−２３５９５４号公報
【発明の開示】
【発明が解決しようとする課題】
【０００６】
この建具にあっては、湿度差による含水率変化の隔たりは抑制できるものの、温度差による伸びの差があるため、反りを完全に抑えることは難しく、また両面に紙を積層した防湿シートを、化粧板の両面に貼着する工数が増えて、建具の加工に手間がかかり製造コストがアップするなどの問題が残され、更なる改良が望まれていた。
【０００７】
本発明は、表面板の両側縁部を、竪枠と押さえ片とで上下スライド可能に挟着することを基本とし、片側の居室を暖冷房した時など、両側の温度湿度が別々に変化して、両側の表面板間に伸縮の差が生じても反りを発生することがなく、良好な建付けを維持できる建具の提供を課題としている。
【課題を解決するための手段】
【０００８】
前記目的を達成するために、請求項１に係る発明では、建具枠、及びこの建具枠の両側に取り付けられた表面板を含み構成される建具であって、前記建具枠は、押さえ片を有するとともに両側に配された一対の竪枠と、この竪枠の上端部間に架け渡された上枠と、竪枠の下端部間に架け渡された下枠とを有して矩形状に構成され、前記表面板は、両側縁部が、前記竪枠及び押さえ片の間で上下スライド可能に挟着されるとともに、係合手段によって建具枠からのスベリ落ちが防止されることを特徴とする。
【０００９】
請求項２に係る発明では、前記押さえ片は、竪枠の表面に向き合って上下にのびる長尺板状をなすとともに、その外端部から直角に折れ曲がる固定片が一体に形成されることにより、断面Ｌ字状の取付け枠材を構成し、取付け枠材の固定片を竪枠の外側面に固着することにより、押さえ片が取り付けられ、請求項３に係る発明においては、前記押さえ片は、その内端部に表面板へ向けて小長さで折れ曲がる鍵片を有し、前記表面板は、鍵片の先端部と竪枠とで挟着され、更に請求項４に係る発明では、前記取付け枠材は、その下端で押さえ片及び固定片の内側に、水平な受止め片が形成され、前記受止め片は、前記表面板の下端部を支持して、前記係合手段を形成することを特徴とする。
【００１０】
請求項５に係る発明では、前記係合手段は、前記下枠に沿って設けられ前記表面板の下端部を支持しうる下受枠材により形成され、また請求項６に係る発明においては、前記表面板は、その両側端部と固定片との間に嵌入された左右の弾性体により挟持され、この弾性体により前記係合手段が形成されることを特徴とする。
【００１１】
請求項７に係る発明では、前記建具枠は、上、下枠間に隔設されて竪枠間に架け渡される水平な補強中桟を有するとともに、この補強中桟は、少なくともその一が接着層を介して表面板の裏面に接着され、この接着層により前記係合手段が形成されることを特徴とする。
【発明の効果】
【００１２】
請求項１に係る発明においては、冬季の暖房時など、両側の屋内空間の温度、湿度が別々に変化して差を生じることにより、両側の表面板が異なる比率で伸縮したとしても、表面板はその両側縁部が竪枠及び押さえ片の間で上下スライド可能に挟着されるため、建具枠からの拘束を受けることなく自由に伸縮でき、この伸縮によって応力を生じることがない。その結果、伸縮量の差によって建具に反りを生じることがなく、建付けを良好に維持することができる。
【００１３】
請求項２に係る発明のように、押さえ片と固定片とを断面Ｌ字状に一体に形成した取付け枠材を用い、この取付け枠材の固定片を竪枠の外側面に固着することによって取り付けられる押さえ片と竪枠とで表面板の両側縁部を挟着するように構成すると、押さえ片が上下に亘り一定圧力で表面板を挟着するため、表面板をガタつきなく支持できる。しかも、取付け枠材により竪枠の外角部が覆われるため、強度に優れるとともに見栄えが良い。
【００１４】
請求項３に係る発明のように、押さえ片の内端部に小長さで折れ曲がる鍵片の先端部と竪枠とで表面板を挟着すると、表面板を安定して挟着できるとともに鍵片で押さえ片が補強され、また請求項４に係る発明のように、取付け枠材の下端において、押さえ片及び固定片の内側に向いて設けられた水平な受止め片によって表面板の下端部を支持すると、簡単な構造で表面板を確実に支持でき、請求項５に係る発明のように、前記下枠に沿って設けた下受枠材によって表面板の下端部を支持すると、表面板が確実に支持されるとともに、建具の下端部が下受枠材によって覆われて補強される。
【００１５】
請求項６に係る発明のように、表面板の両側端部と固定片との間に嵌入した左右の弾性体によって、表面板を挟持すると、表面板を弾性力によって柔らかく、しかも確実に支持できるとともに、その弾性体の種類により、表面板の支持力を任意に設定でき、また請求項７に係る発明のように、建具枠の上、下枠間に隔設される水平な補強中桟の一に対し、表面板を接着することにより表面板の滑り落ちを防止するよう構成すると、簡単な構成によって、表面板を確実に支持できる。
【発明を実施するための最良の形態】
【００１６】
以下、本発明の実施の一形態を、図示例とともに説明する。図１に示すように、建具１は、骨格を構成する建具枠２と、その両側の取り付けられる一対の表面板３とを具えたフラッシュ構造のパネルとして構成される。
【００１７】
前記表面板３は、矩形状の薄板状をなし、建具枠２を挟んで平行に配置され、少なくとも表面側は、化粧面として構成される。この表面板３は、合板など基板上に、ナラ、サクラ、チーク、ケヤキなどを０．２〜０．６ｍｍ程度にスライスした突き板、或いはポリエチレン、ポリプロピレン、エチレン酢ビ樹脂（ＥＶＡ）などオレフィン系樹脂、メラミン樹脂、ポリエステル樹脂を用いた化粧シートを貼着した化粧板を好適に用いることができる。しかしこの他ポリエチレン樹脂、ポリプロピレン樹脂、ポリスチレン樹脂、フェノール樹脂、不飽和ポリエステル樹脂などのプラスチック板、炭素鋼、ステンレス鋼、合金鋼を含む鉄鋼材料、或いはアルミニウム、真鍮、銅、チタンなどの金属板を用いることもできる。
【００１８】
前記建具枠２は、図２に示すように、両側に配された竪枠５、５と、この竪枠５、５の上端部間に架け渡された上枠６と、下端部間に架け渡された下枠７とを含み、矩形状をなす。本形態では更に、上、下枠６、７の間に、複数の補強中桟１５が等間隔で隔設され、建具１を補強している。
【００１９】
そして、この建具枠２の両側に配された前記表面板３が、竪枠５と押さえ片４とで挟着され、フラッシュパネルを構成している。本形態の押さえ片４は、図４に示すように、長尺板状をなし、竪枠５の側面に沿って上下にのびる固定片９と共に断面Ｌ字状の取付け枠材１０として形成されている。そして図３に示すように、取付け枠材１０の固定片９を、竪枠５の側面に、釘、ビスなどの固着具２２で固着することにより、押さえ片４は竪枠５の表面に向き合って上下にのび、表面板３の側端部を覆いつつ一定の圧力で竪枠５へ向けて押圧する。前記の一定の圧力、即ち竪枠５と押さえ片４とで表面板３の側端部を挟着する力は、前記固着具２２の固着作業によって、表面板３の上下方向のスライドを許容しつつ、ガタツキを抑制しうる大きさに調整される。
【００２０】
更に取付け枠材１０を、炭素鋼、ステンレス鋼、合金鋼を含む鉄鋼材料、又はアルミニウム、真鍮、銅、チタンなどの金属材料、或いはポリエチレン樹脂、ポリプロピレン樹脂、ポリスチレン樹脂、フェノール樹脂、不飽和ポリエステル樹脂を始めとするプラスチック材料その他弾性材料で形成すると、表面板３を弾性作用による適度の力で挟着できる点で好ましい。
【００２１】
このように表面板３の両側縁部を竪枠５及び押さえ片４の間で上下スライド可能に挟着しているため、冬季の暖房時など建具１で仕切られた両側の屋内空間の温度、又は湿度が別々に変化して差を生じ、両側の表面板３が異なる比率で伸縮したとしても、建具枠２からの拘束を受けることなく自由に伸縮でき、伸縮により応力を生じることがない。その結果建具１に反りを生じることがなく、建付けを良好に維持することができる。
【００２２】
しかも本形態では、押さえ片４と固定片９とを一体に形成した断面Ｌ字状の取付け枠材１０の固定片９を竪枠５の外側面に固着することにより、表面板３の両側縁部を押さえ片４と竪枠５とで挟着しているため、押さえ片４が上下に亘り一定圧力で表面板３を押圧することにより、表面板３をガタつきなく支持することができる。しかも、取付け枠材１０により竪枠５の外角部が覆われて補強されるため、建具１の強度が向上するとともに見栄えが良い。
【００２３】
また本形態の押さえ片４は、図３、４に示すように、その内端部が表面板３へ向けて小長さで折れ曲がる鍵片１１が形成され、この鍵片１１の先端部と、竪枠５とで表面板３が挟着される。このように本形態では、鍵片１１によって押さえ片４が補強されるとともに、表面板３を隙間を生じることなく安定して挟着できる点で好ましい。なお前記鍵片１１の長さは、例えば、０．５ｍｍ〜１０ｍｍ程度、好ましくは１．０〜５．０ｍｍ程度、本形態では３ｍｍとしている。
【００２４】
さらに前記上下動可能に支持された表面板３は、係合手段８に支持されることにより、建具枠２からのスベリ落ちが防止されている。本形態の係合手段８は、図２に示すように、前記取付け枠材１０の下端部において、前記押さえ片４及び固定片９から内側へ水平にのびる受止め片１２によって形成される。即ちこの受止め片１２が表面板３の下端面の両側部を支持することにより、前記押さえ片４と竪枠５とで挟着された表面板３のスベリ落ちを防止している。このように本形態では、押さえ片４及び固定片９下端部に受止め片１２を設けることにより、簡単な構造によって表面板３のスベリ落ちを確実に支持できる点で好ましい。
【００２５】
図５は他の実施形態を例示している。以下異なる内容について説明し、それ以外は図中に表れた主要構成に同じ符号を付すだけとする。本形態では、係合手段８を形成する下受枠材１３を下枠７に沿って取り付けることにより、表面板３の下端部を支持している。前記下受枠材１３は、帯板状の基板２３と、この基板２３の一方側部から小高さで立ち上がる立ち片２４とからなり断面Ｌ字状をなす。また下受枠材１３は、基板２３の両側部に挿通される固着具２５を竪枠５の下端面に打ち込むことにより、下枠７の下面に沿って取り付けられ、下枠７からの食み出し部に表面板３を載置すると共に、立ち片２４が表面板３の前面下縁部を当接支持することによりスベリ落ちが防止される。このように本形態では、前記下枠７に沿って設けた下受枠材１３によって表面板３が確実に支持されるとともに、建具１の下端部が下受枠材１３によって覆われて補強される点で好ましい。なお図５に示すように、反転した下受枠材１３を上枠６に固着することにより、表面板３の上端部を覆うと、表面板３上縁部が補強されるとともに、下枠７に取り付けた下受枠材１３と対をなして意匠性を向上できる点で好ましい。
【００２６】
図６、７は更に他の実施形態を例示している。本形態では、両側部に配された取付け枠材１０の固定片９と表面板３の両側端部との間に形成された隙間に、各々弾性体１４を圧入し、この弾性体１４によって表面板３を両側から挟持してスベリ落ちを防止している。前記弾性体１４によって形成される係合手段８を用いると、弾性力により柔らかく、しかも確実に表面板３を支持でき、また弾性体１４の種類を選択することによって、表面板３の支持力を任意に設定できる点で好ましい。なお弾性体１４としては、クロロプレンゴム( ＣＲ）、スチレン・ブタジエンゴム（ＳＢＲ）、イソプレンゴム（ＩＲ）を含むゴム、スチレン系・オレフィン系・ウレタン系・ポリエステル系その他の熱可塑性エラストマー、エチレン酢酸ビニル共重合体（ＥＶＡ）などの弾性材料を用いることができる。
【００２７】
なお前記補強中桟１５の少なくとも一を表面板３の裏面に接着し、この接着層が形成する係合手段８によって、表面板３のスベリ防止を図ることもできる。このような接着層による係合手段８は、簡単に形成できるとともに確実にスベリ防止できる点で好ましい。
【００２８】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００２９】
【図１】本発明の一実施の形態を例示する斜視図である。
【図２】その分解斜視図である。
【図３】そのＡ−Ａ断面図である。
【図４】その要部拡大斜視図である。
【図５】他の実施形態を例示する分解斜視図である。
【図６】その横断面図である。
【図７】その要部拡大斜視図である。
【符号の説明】
【００３０】
１      建具
２      建具枠
３      表面板
４      片
５      竪枠
６      上枠
７      下枠
８      係合手段
９      固定片
１０      取付け枠材
１１      鍵片
１２      受止め片
１３      下受枠材
１４      弾性体
１５      補強中桟
【図１】
2007191931.tif 000003
【図２】
2007191931.tif 000004
【図３】
2007191931.tif 000005
【図４】
2007191931.tif 000006
【図５】
2007191931.tif 000007
【図６】
2007191931.tif 000008
【図７】
2007191931.tif 000009